(57)【特許請求の範囲】
【請求項１】
長尺状の収容空間を有する筐体と、
ＬＥＤ素子が配置されるＬＥＤ基板と、
前記ＬＥＤ基板に電力を供給する電源回路部と、
前記電源回路部から前記ＬＥＤ基板に至る基板電線と、
外部からの電力を前記電源回路部へ供給する電源供給線と、を備え、
前記筐体は、前記電源回路部を収容する電源収容室と、前記ＬＥＤ基板が取り付けられる基板取付部と、を有し、前記電源収容室および前記基板取付部は、短手方向である奥行き方向で重なり合い且つ高さ方向である上下方向で重なり合わないように、配置されており、
前記基板取付部の裏側には、前記電源供給線が配線される電線配置空間が設けられ、
前記基板電線は、前記電源供給線と共に前記電線配置空間に配置されており、
前記電線配置空間は、前記基板取付部と、前記基板取付部の両端部から起立する起立片と、で包囲されており、両起立片の少なくとも一方の起立片の先端が相手側に近づいて先細りの開口を有するＬＥＤ照明装置。
【請求項２】
前記電線配置空間には、前記基板電線を前記基板取付部に押圧するための電線押さえ部材が設けられている、請求項１に記載のＬＥＤ照明装置。
【請求項３】
前記電線押さえ部材は、前記電線配置空間において前記基板電線を上方から遮蔽する位置に配置されている、請求項２に記載のＬＥＤ照明装置。
【請求項４】
前記電源供給線は、前記収容空間に収容される電気コネクタに接続され、前記電気コネクタから長手方向内側へ延びて上方からアクセス可能な位置に配置される第１部分と、前記電線配置空間に配置される第２部分と、を有し、前記第２部分は前記第１部分よりも細い電線で構成される、請求項１〜３のいずれかに記載のＬＥＤ照明装置。
【請求項５】
前記第１部分を挟んで筐体本体部に固定する電源線固定部材を備え、
前記電源供給線は、前記第１部分と前記第２部分の間に第３部分を有し、前記第３部分は前記第１部分よりも細い電線で構成される、請求項４に記載のＬＥＤ照明装置。
【発明の詳細な説明】
【技術分野】
【０００１】
本開示は、ＬＥＤ照明装置に関する。
【背景技術】
【０００２】
近年、環境意識の高まりから、省電力化に優れたＬＥＤ（Light Emitting Diode；発光ダイオード）素子を光源に使用したＬＥＤ照明装置が普及している。ＬＥＤ照明装置の一種として、ＬＥＤ棚下灯が知られている。スーパーマーケット、ホームセンターなどで使用される商品陳列棚には、多数の棚板が設けられており、ＬＥＤ棚下灯は、各陳列棚板の前縁部に取り付けられ、商品を照明する。
【０００３】
例えば、特許文献１には、長尺状の筐体と、筐体に収容され、表面にＬＥＤ素子が配置される基板と、基板の裏側に配置される電源回路と、を有する棚下灯が開示されている。
【先行技術文献】
【特許文献】
【０００４】
【特許文献１】特開２０１０−２１３９２３号公報
【発明の概要】
【発明が解決しようとする課題】
【０００５】
しかしながら、特許文献１では、上下方向に沿ってＬＥＤ素子、基板及び電源回路を配置しているので、自ずと高さ方向に装置が大型化してしまう。棚下灯には、目立たないように、更なる小型化が要求される。
【０００６】
本開示は、このような課題に着目してなされたものであって、その目的は、更なる小型化可能なＬＥＤ照明装置を提供することである。
【課題を解決するための手段】
【０００７】
本開示は、上記目的を達成するために、次のような手段を講じている。
【０００８】
すなわち、本開示のＬＥＤ照明装置は、長尺状の収容空間を有する筐体と、ＬＥＤ素子が配置されるＬＥＤ基板と、前記ＬＥＤ基板に電力を供給する電源回路部と、前記電源回路部から前記ＬＥＤ基板に至る基板電線と、外部からの電力を前記電源回路部へ供給する電源供給線と、を備え、前記筐体は、前記電源回路部を収容する電源収容室と、前記ＬＥＤ基板が取り付けられる基板取付部と、を有し、前記電源収容室および前記基板取付部は、短手方向である奥行き方向で重なり合い且つ高さ方向である上下方向で重なり合わないように、配置されており、前記基板取付部の裏側には、前記電源供給線が配線される電線配置空間が設けられ、前記基板電線は、前記電源供給線と共に前記電線配置空間に配置されており、前記電線配置空間は、前記基板取付部と、前記基板取付部の両端部から起立する起立片と、で包囲されており、両起立片の少なくとも一方の起立片の先端が相手側に近づいて先細りの開口を有する。
【０００９】
このように、電源回路部を収容する電源収容室と、ＬＥＤ基板が取り付けられる基板取付部とが、短手方向である奥行き方向で重なり合い且つ高さ方向である上下方向で重なり合わないように配置されているので、高さ方向の寸法を抑制して小型化することができる。
【００１０】
それでいて、筐体の長手方向端部から電源回路部へ至る電源供給線が配線される長尺状の電線配置空間が基板取付部の裏側に形成されているので、電源供給線を電源回路部と同じ電源収容室に配置することで必要となる電源供給線分の高さを不要にでき、さらに高さ方向の寸法を小型化できる。
【図面の簡単な説明】
【００１１】
【図１】本実施形態のＬＥＤ照明装置の全体を上方から見た斜視図。
【図２】ＬＥＤ照明装置を構成する各部品の分解斜視図。
【図３】ＬＥＤ照明装置の一部断面図。
【図４】上蓋カバーを取り外したＬＥＤ照明装置を示す平面図。
【図５】端部カバーを取り外した筐体の長手方向端部を下方から見た斜視図。
【図６】電線の配線および電線固定部材を上方から見た斜視図。
【図７】上蓋カバー及び電源カバーが取り外された様子を示す平面図。
【発明を実施するための形態】
【００１２】
以下、本開示の一実施形態の照明装置について、図面を用いて説明する。
【００１３】
図１に示すように、ＬＥＤ照明装置は、長尺状の筐体１を有し、陳列棚板ＳＢの前縁部に取り付けられる棚下灯である。ＬＥＤ照明装置は、長手方向Ｙが左右方向となり、短手方向である幅方向Ｘが奥行き方向となるように、陳列棚板ＳＢに対して取り付けられる。前方Ｘ１が陳列棚板ＳＢの正面側となる。高さ方向Ｚのうち上方Ｚ１側が陳列棚板ＳＢの下面に対面する。
【００１４】
ＬＥＤ照明装置は、図２に示すように、長尺状の収容空間を有する筐体１と、筐体１に収容されるＬＥＤ基板２と、筐体１に収容される電源回路部３と、外部からの電力を電源回路部３へ供給する電源供給線４と、電源回路部３からＬＥＤ基板２に至る基板電線５と、を有する。
【００１５】
筐体１は、図２及び図３に示すように、上方に開放される第１の収容空間ＳＰ１および下方に開放される第２の収容空間ＳＰ２を有する長尺状の基台１０と、基台１０の長手方向端部に取り付けられる端部カバー１１と、を有する。基台１０は、熱伝導性を有する金属で形成されると共に、ＬＥＤ基板２が取り付けられる基板取付部１０ａを有し、ＬＥＤ基板２からの熱を受けて放熱する放熱部材を兼ねている。端部カバー１１は、図１に示すように、基台１０に対してネジ止めされる。端部カバー１１には、陳列棚板ＳＢに取り付けるための取付具が挿入される取付用穴１１ａと、外部からの電線を引き入れるため電線挿通部１１ｂと、が形成されている。
【００１６】
図３、図６及び図７に示すように、第１の収容空間ＳＰ１は、幅方向Ｘに２つに区分されており、基板取付部１０ａの裏側を長尺状の電線配置空間ＳＰ１０とし、基板取付部１０ａと幅方向Ｘに重なり合う空間を長尺状の電源収容室ＳＰ１１としている。図３に示すように、電源収容室ＳＰ１１および基板取付部１０ａは、幅方向Ｘで重なり合い且つ高さ方向Ｚに重なり合わないようにしてあり、これによって高さ方向Ｚの寸法を小さくする小型化を実現している。これにより、本実施形態では、筐体１の高さＨは１６．５ｍｍであり、筐体１の幅方向長さＷは４５ｍｍである。筐体１は、高さＨが幅方向長さＷに対して１／２．５以下に形成されている。この比率であれば、棚下灯として目立ちにくくなる。
【００１７】
図３に示すように、第２の収容空間ＳＰ２は、基板取付部１０ａの表側に配置されて基板収容空間ＳＰ２となっている。図３、図６及び図７に示すように、電線配置空間ＳＰ１０には、電源供給線４及び基板電線５が配置されている。電源収容室ＳＰ１１には、電源回路部３が配置されている。電源回路部３は、絶縁部材３０で被覆されている。
【００１８】
基台１０は、図３に示すように、基板取付部１０ａの幅方向両端部から起立する起立片１０ｂ・１０ｂを有する。電線配置空間ＳＰ１０は、基板取付部１０ａと、両起立片１０ｂ・１０ｂと、で包囲されて形成されている。本実施形態では、両起立片１０ｂ・１０ｂのうち一方の起立片１０ｂの先端が相手側に近づいて先細りの開口を形成しているが、これに限定されない。両起立片１０ｂ・１０ｂのうち少なくとも一方の起立片の先端が相手側に近づいていればよい。例えば、双方の起立片１０ｂ・１０ｂの先端が互いに相手側に近づいていてもよい。
【００１９】
ＬＥＤ基板２は、図２及び図３に示すように、長尺状をなし、長手方向Ｙに沿って複数のＬＥＤ素子２０が配置されている。ＬＥＤ基板２は、基板収容空間ＳＰ２に収容され、基板取付部１０ａに取り付けられている。基板収容空間ＳＰ２の開口には、透光性カバー６が取り付けられている。本実施形態では、ＬＥＤ基板２は、電源回路部３に近い近位端２ａよりも電源回路部３から遠い遠位端２ｂが上方を向く傾斜姿勢で配置されている。このようにＬＥＤ基板２を傾斜姿勢で配置すれば、幅方向Ｘの寸法を小さくする小型化が可能となる。勿論、ＬＥＤ基板２を傾斜姿勢で配置せずに、水平方向に沿って配置してもよい。
【００２０】
図３に示すように、筐体１のうちＬＥＤ基板２の幅方向Ｘ外側に配置される奥側面１２は、下方端１２ａよりも上方端１２ｂが幅方向Ｘ内側へ傾斜している。勿論、奥側面１２を鉛直方向に沿って起立姿勢に配置してもよい。
【００２１】
基板電線５は、図６及び図７に示すように、電源回路部３から延出した後、電源収容室ＳＰ１１を避けて電線配置空間ＳＰ１０に配置されている。これにより、電源収容室ＳＰ１１に基板電線５を配置する空間を設けなくてもよいので、電源収容室ＳＰ１１を高さ方向Ｚ及び幅方向Ｘに小型化することが可能となる。基板電線５は、図５、図６及び図７に示すように、電線配置空間ＳＰ１０を長手方向Ｙ内側から外側に延びて、筐体１の長手方向端部において基板取付部１０ａを乗りこえて、表側に配置されたＬＥＤ基板２に接続されている。筐体１の長手方向端部には、基板電線５を基板取付部１０ａに押圧する電線押さえ部材７が設けられている。電線押さえ部材７は、電線配置空間ＳＰ１０に収容され、両起立片１０ｂ・１０ｂを足場として、基板電線５を押圧している。
【００２２】
電源供給線４は、図６及び図７に示すように、筐体１の長手方向端部から内側へ長手方向Ｙに延びており、電源回路部３に電気的に接続されている。電源供給線４は、２組設けられている。一方の電源供給線４は、筐体１の長手方向Ｙの外側から内側へ延びてそのまま電源回路部３に接続されている。他方の電源供給線４は、筐体１の長手方向Ｙの外側から内側へ延びた後、電源収容室ＳＰ１１を避けて電線配置空間ＳＰ１０を通って迂回した後、電源回路部３に接続されている。
【００２３】
図３に示すように、基台１０は、電源収容室ＳＰ１１及び電線配置空間ＳＰ１０を含む第１の収容空間ＳＰ１を上方へ開放している。図１に示すように、第１の収容空間ＳＰ１を閉塞する位置に、上蓋カバー１３、電源線固定部材１４および電源カバー１５が取り付けられる。図４に示すように、基台１０に対して、端部カバー１１、電源線固定部材１４及び電源カバー１５が取り付けられると、作業開口１ｈを有する長尺状の筐体本体部１Ｘが構成される。作業開口１ｈは、長手方向端部における電線配置空間ＳＰ１０を含む第１の収容空間ＳＰ１を上方に開放している。作業開口１ｈは、棚下灯を設置する作業者が外部電線を引き込んで電源供給線４に接続するために使用される。上蓋カバー１３は、作業開口１ｈを閉塞する位置に工具なしに着脱可能に構成される。工具なしに着脱可能とは、ネジ等の締着具を用いずに、嵌り合う構造によって着脱する構造である。
【００２４】
なお、本実施形態では、作業開口１ｈを有する筐体本体部１Ｘが、基台１０、端部カバー１１、電源線固定部材１４および電源カバー１５で構成されているが、これに限定されない。筐体本体部１Ｘを構成する部材は適宜変更可能である。
【００２５】
図４及び図５に示すように、上蓋カバー１３を取り外した状態では、電線押さえ部材７が、電線配置空間ＳＰ１０において基板電線５を作業開口１ｈから遮蔽する位置に配置されている。これによって、作業者が基板電線５に触れることができなくなっている。
【００２６】
電源線固定部材１４は、図４及び図６に示すように、ネジｖを用いて基台１０に固定されており、作業開口１ｈを通じて作業者がアクセス可能な領域を規制している。電源供給線４は、第１の収容空間ＳＰ１のうち作業開口１ｈを通じて作業者がアクセス可能な空間に収容される電気コネクタＣ（例えばインナーロック付き電線対電線接続コネクタが挙げられる）に接続されている。電源供給線４は、図４、図６及び図７に示すように、電気コネクタＣから長手方向内側へ延びて作業開口１ｈからアクセス可能な位置に配置される第１部分４ａと、電線配置空間ＳＰ１０に配置される第２部分４ｂと、を有する。第２部分４ｂは第１部分４ａよりも細い電線で構成されている。さらに、電源供給線４は、第１部分４ａと第２部分４ｂとの間に第３部分４ｃを有する。第３部分４ｃは第１部分４ａよりも細い電線で構成されている。本実施形態では、第２部分４ｂと第３部分４ｃとは、同じ細さであり、同じ電線を用いているが、これに限定されない。第２部分４ｂと第３部分４ｃとに太さが異なる電線を用いてもよい。
【００２７】
電源線固定部材１４は、図６に示すように、電源供給線４の第１部分４ａを挟んで筐体本体部１Ｘ（基台１０）に固定している。具体的には、電源線固定部材１４は、上側固定部材１４ａと、下側固定部材１４ｂで電源供給線４を挟み込む。上側固定部材１４ａと、下側固定部材１４ｂとはネジ止めされる。基台１０のうち電源収容室ＳＰ１１と電線配置空間ＳＰ１０とを隔てる位置には、長手方向Ｙに延びる２つの平行なリブ１０ｃ・１０ｃが形成されている。この２つのリブ１０ｃのうちの一方は、上記起立片１０ｂを構成している。２つのリブ１０ｃ・１０ｃの間隔は、ネジｖの径に合わせてあり、電源線固定部材１４を構成する上側固定部材１４ａに挿通されたネジｖがリブ１０ｃ・１０ｃの間に嵌るように構成されている。下側固定部材１４ｂは、基台１０に対して長手方向Ｙにスライド可能に支持されており、電源線固定部材１４に取り付ける２つのネジｖを緩めると、リブ１０ｃ・１０ｃ自体がレールとなり、電源線固定部材１４を長手方向Ｙにスライド可能にし、位置変更可能に構成されている。
【００２８】
以上のように、本実施形態のＬＥＤ照明装置は、陳列棚板ＳＢに取り付けられるＬＥＤ照明装置であって、長尺状の収容空間を有する筐体１と、筐体１に収容され、ＬＥＤ素子２０が配置されるＬＥＤ基板２と、筐体１に収容され、ＬＥＤ基板２に電力を供給する電源回路部３と、筐体１の長手方向端部から内側へ長手方向Ｙに延び、外部からの電力を電源回路部３へ供給する電源供給線４と、を備える。筐体１は、電源回路部３を収容する電源収容室ＳＰ１１と、ＬＥＤ基板２が取り付けられる基板取付部１０ａと、を有する。電源収容室ＳＰ１１および基板取付部１０ａは、短手方向である幅方向Ｘで重なり合い且つ高さ方向Ｚに重なり合わないように、配置されている。基板取付部１０ａの裏側には、電源供給線４が配線される長尺状の電線配置空間ＳＰ１０が形成されている。
【００２９】
このように、電源回路部３を収容する電源収容室ＳＰ１１と、ＬＥＤ基板２が取り付けられる基板取付部１０ａとが、短手方向である幅方向Ｘに重なり合い且つ高さ方向Ｚに重なり合わないように配置されているので、高さ方向Ｚの寸法を抑制して小型化することができる。それでいて、筐体１の長手方向端部から電源回路部３へ至る電源供給線４が配線される長尺状の電線配置空間ＳＰ１０が基板取付部１０ａの裏側に形成されているので、電源供給線４を電源回路部３と同じ電源収容室ＳＰ１１に配置することで必要となる電源供給線４分の高さを不要にでき、さらに高さ方向Ｚの寸法を小型化できる。
【００３０】
本実施形態では、ＬＥＤ基板２は、電源回路部３に近い近位端２ａよりも電源回路部３から遠い遠位端２ｂが上方を向く傾斜姿勢で配置されている。
【００３１】
この構成によれば、ＬＥＤ基板２が傾斜姿勢で配置されているので、ＬＥＤ基板２が水平姿勢で配置されている場合に比べて筐体１の幅方向Ｘの寸法を小さくでき、幅方向Ｘにも小型化できる。
【００３２】
陳列棚板ＳＢに対してＬＥＤ照明装置自体を傾斜姿勢で取り付ける場合もあり、その場合、筐体のうち奥側の側面が陳列棚板ＳＢに干渉するおそれがあり、取り付け位置を下げなければならず、ＬＥＤ照明装置が目立ってしまうおそれがある。
【００３３】
これに対し、本実施形態では、筐体１のうちＬＥＤ基板２の幅方向Ｘ外側に配置される奥側面１２は、下方端１２ａよりも上方端１２ｂが幅方向Ｘ内側へ傾斜している。
【００３４】
この構成によれば、筐体１のうち奥側面１２が傾斜しているので、陳列棚板ＳＢとの干渉を避けて取り付け可能となる。その結果、ＬＥＤ照明装置を目立ちにくく取り付け可能となる。
【００３５】
本実施形態では、電源回路部３からＬＥＤ基板２に至る基板電線５を備える。基板電線５は、電源供給線４と共に電線配置空間ＳＰ１０に配置されている。電線配置空間ＳＰ１０は、基板取付部１０ａと、基板取付部１０ａの幅方向両端部から起立する起立片１０ｂ・１０ｂと、で包囲されて形成されており、両起立片１０ｂ・１０ｂの少なくとも一方の起立片の先端が相手側に近づいて先細りの開口を形成している。
【００３６】
この構成によれば、電線配置空間ＳＰ１０が先細りの開口となっているので、基板電線５と電源供給線４とを先細りの開口から差し込むだけで配線でき、各電線が抜けにくく、配線が容易となる。
【００３７】
ＬＥＤ照明装置の運搬などによって基板電線５が振られるおそれがある。基板電線５が振られると、基板電線５とＬＥＤ基板２との接続部位に応力が作用しやすく、断線のおそれが考えられる。
【００３８】
これに対し、本実施形態では、電源回路部３からＬＥＤ基板２に至る基板電線５を備える。基板電線５は、電線配置空間ＳＰ１０を長手方向Ｙの内側から外側に延びて、筐体１の長手方向端部において基板取付部１０ａの端部を乗りこえて、表側に配置されたＬＥＤ基板２に接続されている。筐体１の長手方向端部には、基板電線５を基板取付部１０ａに押圧する電線押さえ部材７が設けられている。
【００３９】
このように、筐体１の長手方向端部において基板電線５を基板取付部１０ａに押圧する電線押さえ部材７が設けられているので、基板電線５が振られず、配線を保護可能となる。
【００４０】
本実施形態では、筐体１は、長手方向端部における電線配置空間ＳＰ１０を含む収容空間（第１の収容空間ＳＰ１）を上方に開放する作業開口１ｈを有する長尺状の筐体本体部１Ｘと、作業開口１ｈを閉塞する位置に着脱可能な上蓋カバー１３と、を有する。電線押さえ部材７は、電線配置空間ＳＰ１０において基板電線５を作業開口１ｈから遮蔽する位置に配置されている。
【００４１】
このように、電線押さえ部材７が、作業開口１ｈから基板電線５を遮蔽する位置に配置されているので、作業者が基板電線５に誤って触れてしまうことがなく、好ましい。
【００４２】
本実施形態では、筐体１は、長手方向端部における収容空間（第１の収容空間ＳＰ１）を上方に開口する作業開口１ｈを有する長尺状の筐体本体部１Ｘと、作業開口１ｈを閉塞する位置に着脱可能な上蓋カバー１３と、を有する。電源供給線４は、収容空間（第１の収容空間ＳＰ１）に収容される電気コネクタＣに接続され、電気コネクタＣから長手方向内側へ延びて作業開口１ｈからアクセス可能な位置に配置される第１部分４ａと、電線配置空間ＳＰ１０に配置される第２部分４ｂと、を有する。第２部分４ｂは第１部分４ａよりも細い電線で構成される。
【００４３】
このように、電気コネクタＣから長手方向内側へ延びて作業開口１ｈからアクセス可能な位置に配置される第１部分４ａの電源線を太くして、作業者がアクセスするのに必要な電線の太さを確保できる。それでいて、作業者がアクセスしない電線配置空間ＳＰ１０にある第２部分４ｂの電源線は細くして、配線しやすくできる。
【００４４】
本実施形態では、第１部分４ａを挟んで筐体本体部１Ｘに固定する電源線固定部材１４を備える。電源供給線４は、第１部分４ａと第２部分４ｂの間に第３部分４ｃを有する。第３部分４ｃは第１部分４ａよりも細い電線で構成される。
【００４５】
この構成によれば、第１部分４ａを電源線固定部材１４で挟んで筐体本体部１Ｘに固定する際に、一度引き出して電気コネクタＣに接続して戻す作業を行うにあたり、第１部分４ａよりも第３部分４ｃが細いので、電線が曲がりやすく、電線を戻す作業がやりやすくなり、組み付け作業を容易にすることが可能となる。
【００４６】
従来の一般的なＬＥＤ棚下灯は、高さと幅の比が１対１であり、このような製品を陳列棚板ＳＢの前縁部に取り付けた場合には、その存在が目立ってしまう。これに対し、実施形態では、電源収容室ＳＰ１１および基板取付部１０ａが、短手方向である幅方向Ｘで重なり合うように配置されていることで、筐体１の高さＨは幅方向長さＷに対して１／２．５以下に抑制されており、目立ちにくくなり、高付加価値を有する製品を提供可能となる。
【００４７】
本開示は上述した実施形態に何ら限定されるものではない。上記の各実施形態で採用している構造を他の任意の実施形態に採用することは可能である。各部の具体的な構成は、上述した実施形態のみに限定されるものではなく、本開示の趣旨を逸脱しない範囲内で種々の改良変更が可能である。
【符号の説明】
【００４８】
１…筐体
１ｈ…作業開口
１Ｘ…筐体本体部
１０ａ…基板取付部
１０ｂ…起立片
１２…奥側面
１２ａ…奥側面の下方端
１２ｂ…奥側面の上方端
１３…上蓋カバー
１４…電源線固定部材
２…ＬＥＤ基板
２ａ…近位端
２ｂ…遠位端
２０…ＬＥＤ素子
３…電源回路部
４…電源供給線
４ａ…第１部分
４ｂ…第２部分
４ｃ…第３部分
５…基板電線
７…電線押さえ部材
ＳＰ１…第１の収容空間（収容空間）
ＳＰ１１…電源収容室
ＳＰ１０…電線配置空間
Ｃ…電気コネクタ
Ｙ…長手方向
Ｘ…幅方向（短手方向）
Ｚ…高さ方向
Ｈ…筐体の高さ
Ｗ…筐体の幅方向長さ
【図１】
0006560890.tif 000002
【図２】
0006560890.tif 000003
【図３】
0006560890.tif 000004
【図４】
0006560890.tif 000005
【図５】
0006560890.tif 000006
【図６】
0006560890.tif 000007
【図７】
0006560890.tif 000008